(57)【要約】      （修正有）【課題】黒表示時における漏れ光による目立った発色を防止しうるカラーフィルタを提供する。【解決手段】カラーフィルタは、複数の色の着色層が規則的に多数配列している。カラーフィルタは、フィルタ単体に光が照射されて白表示したときのＣＩＥ１９３１色度図における色度を（ｘWH，ｙWH）とし、各々の偏光度が９９．９８％以上であるクロスニコル状態に配置された一対の偏光板で狭持されて同一の光が照射されたときのＣＩＥ１９３１色度図における色度を（ｘB，ｙB）としたとき、2005134883.tif 000055である。【選択図】なし【特許請求の範囲】
【請求項１】
複数の色の着色層が規則的に多数配列したカラーフィルタであって、
フィルタ単体に光が照射されて白表示したときのＣＩＥ１９３１色度図における色度を（ｘWH，ｙWH）とし、各々の偏光度が９９．９８％以上であるクロスニコル状態に配置された一対の偏光板で狭持されて同一の光が照射されたときのＣＩＥ１９３１色度図における色度を（ｘB，ｙB）としたとき、
【数１】
2005134883.tif 000040
である、カラーフィルタ。
【請求項２】
請求項１に記載されたカラーフィルタにおいて、
【数２】
2005134883.tif 000041
である、カラーフィルタ。
【請求項３】
請求項２に記載されたカラーフィルタにおいて、
【数３】
2005134883.tif 000042
である、カラーフィルタ。
【請求項４】
請求項３に記載されたカラーフィルタにおいて、
【数４】
2005134883.tif 000043
である、カラーフィルタ。
【請求項５】
請求項１に記載されたカラーフィルタにおいて、
フィルタ単体に光が照射されて白表示したときの輝度をＹWHとし、各々の偏光度が９９．９８％以上であり且つパラレル状態に配置されたときの透過率が３６％である一対の偏光板がクロスニコル状態に配置されて狭持されて同一の光が照射されたときの輝度をＹBとしたとき、
【数５】
2005134883.tif 000044
である、カラーフィルタ。
【請求項６】
請求項１乃至５のいずれかに記載されたカラーフィルタにおいて、
上記複数の色が赤、緑及び青である、カラーフィルタ。
【請求項７】
ｎ色の着色層が規則的に多数配列したカラーフィルタであって、
フィルタ単体に光が照射されたときの上記ｎ色のそれぞれの着色層の輝度をＹi（ｉ＝１〜ｎ）とすると共に、各々の偏光度が９９．９８％以上であるクロスニコル状態に配置された一対の偏光板で狭持されて同一の光が照射されたときの該ｎ色のそれぞれの着色層の輝度をＹi’（ｉ＝１〜ｎ）とし、Ｙi／Ｙi’の最大値をＹmax／Ｙmax’及び最小値をＹmin／Ｙmin’としたとき、
【数６】
2005134883.tif 000045
であり、且つ、フィルタ単体に光が照射されて白表示したときの輝度をＹWHとし、各々の偏光度が９９．９８％以上であり且つパラレル状態に配置されたときの透過率が３６％である一対の偏光板がクロスニコル状態に配置されて狭持されて同一の光が照射されたときの輝度をＹBとしたとき、
【数７】
2005134883.tif 000046
である、カラーフィルタ。
【請求項８】
赤、緑及び青のそれぞれの着色層が規則的に多数配列したカラーフィルタであって、
フィルタ単体に光が照射されたときの赤、緑及び青のそれぞれの着色層の透過率をＴR、ＴG及びＴBとし、各々の偏光度が９９．９８％以上であるクロスニコル状態に配置された一対の偏光板で狭持されて同一の光が照射されたときの赤、緑及び青のそれぞれの着色層の透過率をＴR’、ＴG’及びＴB’としたとき、
【数８】
2005134883.tif 000047
であり、且つ、フィルタ単体に光が照射されて白表示したときの輝度をＹWHとし、各々の偏光度が９９．９８％以上であり且つパラレル状態に配置されたときの透過率が３６％である一対の偏光板がクロスニコル状態に配置されて狭持されて同一の光が照射されたときの輝度をＹBとしたとき、
【数９】
2005134883.tif 000048
である、カラーフィルタ。
【請求項９】
請求項５又は７又は８に記載されたカラーフィルタにおいて、
【数１０】
2005134883.tif 000049
である、カラーフィルタ。
【請求項１０】
複数の色の着色層が規則的に多数配列したカラーフィルタが設けられた第１基板と、該第１基板に対向するように設けられた第２基板と、該第１及び第２基板の間に設けられた液晶層と、を有する液晶セルと、
上記液晶セルを狭持するように設けられクロスニコル状態に配置された一対の偏光板と、
を備えた液晶表示装置であって、
上記カラーフィルタは、フィルタ単体に光が照射されて白表示したときのＣＩＥ１９３１色度図における色度を（ｘWH，ｙWH）とし、各々の偏光度が９９．９８％以上であるクロスニコル状態に配置された一対の偏光板で狭持されて同一の光が照射されたときのＣＩＥ１９３１色度図における色度を（ｘB，ｙB）としたとき、
【数１１】
2005134883.tif 000050
である、液晶表示装置。
【請求項１１】
ｎ色の着色層が規則的に多数配列したカラーフィルタが設けられた第１基板と、該第１基板に対向するように設けられた第２基板と、該第１及び第２基板の間に設けられた液晶層と、を有する液晶セルと、
上記液晶セルを狭持するように設けられクロスニコル状態に配置された一対の偏光板と、
を備えた液晶表示装置であって、
上記カラーフィルタは、フィルタ単体に光が照射されたときの上記ｎ色のそれぞれの着色層の輝度をＹi（ｉ＝１〜ｎ）とすると共に、各々の偏光度が９９．９８％以上であるクロスニコル状態に配置された一対の偏光板で狭持されて同一の光が照射されたときの該ｎ色のそれぞれの着色層の輝度をＹi’（ｉ＝１〜ｎ）とし、Ｙi／Ｙi’の最大値をＹmax／Ｙmax’及び最小値をＹmin／Ｙmin’としたとき、
【数１２】
2005134883.tif 000051
であり、且つ、フィルタ単体に光が照射されて白表示したときの輝度をＹWHとし、各々の偏光度が９９．９８％以上であり且つパラレル状態に配置されたときの透過率が３６％である一対の偏光板がクロスニコル状態に配置されて狭持されて同一の光が照射されたときの輝度をＹBとしたとき、
【数１３】
2005134883.tif 000052
である、液晶表示装置。
【請求項１２】
赤、緑及び青のそれぞれの着色層が規則的に多数配列したカラーフィルタが設けられた第１基板と、該第１基板に対向するように設けられた第２基板と、該第１及び第２基板の間に設けられた液晶層と、を有する液晶セルと、
上記液晶セルを狭持するように設けられクロスニコル状態に配置された一対の偏光板と、
を備えた液晶表示装置であって、
上記カラーフィルタは、フィルタ単体に光が照射されたときの赤、緑及び青のそれぞれの着色層の透過率をＴR、ＴG及びＴBとし、各々の偏光度が９９．９８％以上であるクロスニコル状態に配置された一対の偏光板で狭持されて同一の光が照射されたときの赤、緑及び青のそれぞれの着色層の透過率をＴR’、ＴG’及びＴB’としたとき、
【数１４】
2005134883.tif 000053
であり、フィルタ単体に光が照射されて白表示したときの輝度をＹWHとし、各々の偏光度が９９．９８％以上であり且つパラレル状態に配置されたときの透過率が３６％である一対の偏光板がクロスニコル状態に配置されて狭持されて同一の光が照射されたときの輝度をＹBとしたとき、
【数１５】
2005134883.tif 000054
である、液晶表示装置。
【請求項１３】
請求項１０乃至１２のいずれかに記載された液晶表示装置において、
上記液晶セルの液晶層は、垂直配向型である、液晶表示装置。
【請求項１４】
請求項１０乃至１２のいずれかに記載された液晶表示装置において、
表示面に対する法線方向における黒表示時の透過率に対する白表示時の透過率の比であるコントラスト比が４００以上である、液晶表示装置。
【請求項１５】
請求項１４に記載された液晶表示装置において、
上記コントラスト比が６００以上である、液晶表示装置。
【発明の詳細な説明】
【技術分野】
【０００１】
本発明は、カラーフィルタ及びそれを備えた液晶表示装置に関する。
【背景技術】
【０００２】
カラー表示可能な液晶表示装置には、表示側の基板に、赤、緑及び青のそれぞれの着色層が規則的に多数配列したカラーフィルタが設けられている。そして、カラーフィルタの製造方法としては、耐熱性、耐光性及びコストに優れる顔料分散法が主流となっている。ところが、顔料分散法では、染料を使った染色法に比べて顔料粒子の消偏性が悪いという問題がある。
【０００３】
例えば、特許文献１には、顔料分散法で製造したカラーフィルタでは、顔料粒子や表面形状による光の散乱の影響により染色法で製造したものに比べて消偏性が悪いこと、また、その光の散乱のために透過光量が低下して同一色度での明るさが十分に得られないこと、さらに、光の散乱の程度によっては赤青緑の１色でも透過率が低下するとその合成色の色度がずれること、が記載されている。そして、これに対し、感光性樹脂組成物からなるインク受容層をパターン露光して非着色部を形成し、未露光部にインクジェットヘッドにより着色インクを付与し、その未露光部を着色した後、着色部表面に送風するか、或いは、真空乾燥を施した後、インク受容層全体を硬化させる技術が開示されている。
【０００４】
また、特許文献２には、レッド、グリーンに添加するイエローに着目し、分散剤にベンズイミダゾロン系誘導体を用いることにより着色組成物中の顔料粒径を細かくし、レッド、グリーンの着色組成物にイエローを添加したカラーレジストを用いることによってカラーフィルタのコントラスト比を向上させ、階調表示の低下を改善することが開示されている。しかしながら、同文献には、具体的な階調表示データが開示されておらず、黒表示の色度についても記載がない。
【０００５】
特許文献３には、少なくとも顔料と、ポリマーと、溶剤とから構成されるカラーフィルター用着色組成物において、顔料成分中の黄顔料の含有量が３０重量％以上であり、かつ、黄顔料の比表面積が７０ｍ2／ｇ以上であるものが開示されている。そして、これによれば、黄顔料の比表面積を最適化することによりコントラスト比の高い着色膜が形成され、表示品位の高いカラーフィルターを得ることができる、と記載されている。
【０００６】
特許文献４には、互いに対向する一対の基板と、それらの間に封入された液晶とを備えた液晶表示装置であって、一方の基板に、赤、緑および青の各色の色パターンを含むカラーフィルタが形成されており、各色パターンのうち、コントラスト比が最大となる色パターンのコントラスト比をＣＲ１、コントラスト比が最小となる色パターンのコントラスト比をＣＲ２としたとき、ＣＲ１／ＣＲ２≦１．６なる関係が成立するよう調整し、且つ、パネルのコントラスト比を４００以上とすることにより色再現性を改善することが開示されている。
【特許文献１】特開平１１−６９１１号公報
【特許文献２】特開平０８−１７１０１４号公報
【特許文献３】特開２００１−１８８１２０号公報
【特許文献４】特開２００１−１９４６５８号公報
【発明の開示】
【発明が解決しようとする課題】
【０００７】
ところで、近年、液晶表示装置の高コントラスト化及び高輝度化が進み、それに伴って黒表示時に漏れ光による発色として例えばマゼンタが観察され、かかるマゼンタの発色が非常に目立つという問題が生じている。このような問題は、コントラスト比が高く且つバックライト輝度が高い液晶表示装置、例えば液晶テレビ等で特に顕著である。
【０００８】
なお、上記特許文献２では、赤及び緑の着色層のことのみを述べているのみであり、青の着色層について限定が無く、そのため良好な黒表示を得ることは困難である。
【０００９】
本発明は、かかる点に鑑みてなされたものであり、その目的とするところは、黒表示時において、漏れ光による目立った発色を防止しうるカラーフィルタ及びそれを備えた液晶表示装置を提供することにある。
【課題を解決するための手段】
【００１０】
本発明者らは、鋭意研究の結果、黒表示時の色付きの原因が、カラーフィルタの着色層を構成する各色毎の消偏性の違いに起因するものであることをつきとめた。例えば、赤、緑及び青の３色の着色層を有するカラーフィルタを用いた液晶表示装置において、黒表示時にマゼンタが観察されるのは、緑の消偏性が他色に比べて優れている、つまり、表１に示すように、緑のみコントラスト比が高いため、黒表示時に赤や青の漏れ光よりも緑の漏れ光が少なくなり、補色としてマゼンタが観察されるためである。
【００１１】
【表１】
2005134883.tif 000002
【００１２】
本発明は、単にカラーフィルタの消偏性を改善してコントラスト比を向上させるもの、或いは、カラーフィルタの散乱による透過率低下を改善するものとは異なり、カラーフィルタを構成する複数の色の着色層において、黒表示時の各単色の光量比が実質上一定範囲内となるように調整することで、黒表示時の色付きを改善するようにしたものである。
【００１３】
具体的には、本発明のカラーフィルタは、複数の色の着色層が規則的に多数配列したものであって、
フィルタ単体に光が照射されて白表示したときのＣＩＥ１９３１色度図における色度を（ｘWH，ｙWH）とし、各々の偏光度が９９．９８％以上であるクロスニコル状態に配置された一対の偏光板で狭持されて同一の光が照射されたときのＣＩＥ１９３１色度図における色度を（ｘB，ｙB）としたとき、
【００１４】
【数１６】
2005134883.tif 000003
【００１５】
である。
【００１６】
上記のように調整されたカラーフィルタでは、各々の偏光度が９９．９８％以上であるクロスニコル状態に配置された一対の偏光板で狭持されたときの色度が、白に近い色度乃至青味の暗い色度であって目立った色付きを起こさない。液晶表示装置の色表示はカラーフィルタによるものが支配的であることから、これを液晶表示装置に用いれば、結果として、黒表示時に白に近い色度乃至青味の暗い色度となり、目立った発色を防止することができる。
【００１７】
ここで、ＣＩＥ１９３１色度図とは、ＣＩＥ（Commission Internationale d'Eclairage：国際照明委員会）で１９３１年に採択された等色関数によるＣＩＥ表色系に基づいた色度図である。
【００１８】
また、クロスニコル状態に配置された一対の偏光板は、偏光度が９９．９８％以上のものであることにより、カラーフィルタ自体の漏れ光の評価にその影響を及ぼさない。一方、偏光度が小さい偏光板であると、カラーフィルタ自体の漏れ光の評価に偏光板による影響が及び、実際の漏れ光よりも漏れ光量が大きくなり、正確な評価が困難となる。
【００１９】
一般的に、液晶表示装置では、白表示が黒体輻射軌跡上にくるように設計されており、その多くが色温度５５００Ｋから２００００Ｋまでの範囲である。図１はＣＩＥ１９３１色度図上に黒体輻射軌跡を示したものであり、図２はその色温度５５００Ｋから２００００Ｋに対応する部分の拡大図である。これらの図に示すように、ＣＩＥ１９３１色度図では、その色温度５５００Ｋから２００００Ｋまでの範囲が（0.332，0.342）と（0.256，0.258）とを結ぶ傾きがほぼ１に近い直線に相当する。黒体輻射軌跡付近の色度座標領域では、特別な着色は感じられず、例えば、色温度５５００Ｋであれば黄色っぽい白が観察され、色温度２００００Ｋであれば青っぽい白が観察される。そして、ＣＩＥ１９３１色度図の黒体輻射軌跡から離れるに従い特別な色付きが感じられるようになり、その色付き傾向は、黒体輻射軌跡から上側で緑色、下側でマゼンタである。これらのことから、液晶表示装置では、白表示から黒表示への切替時に、ＣＩＥ１９３１色度図において、黒体輻射軌跡に沿った方向でシフトしている方が目立った発色を起こしにくい。
【００２０】
本発明のカラーフィルタは、
【００２１】
【数１７】
2005134883.tif 000004
【００２２】
であれば、黒表示時にほとんどニュートラルな黒が視認される。そして、より好ましくは、
【００２３】
【数１８】
2005134883.tif 000005
【００２４】
であるのがよい。
【００２５】
さらに、本発明のカラーフィルタは、
【００２６】
【数１９】
2005134883.tif 000006
【００２７】
であるのがより好ましい。
【００２８】
このような条件を満たすカラーフィルタは、白表示から黒表示までの色度差が小さく、しかも、その変化の軌跡が黒体輻射軌跡により近いために黒表示が完全な無彩色として認識される。
【００２９】
本発明のカラーフィルタは、フィルタ単体に光が照射されて白表示したときの輝度をＹWHとし、各々の偏光度が９９．９８％以上であり且つパラレル状態に配置されたときの透過率が３６％である一対の偏光板がクロスニコル状態に配置されて狭持されて同一の光が照射されたときの輝度をＹBとしたとき、
【００３０】
【数２０】
2005134883.tif 000007
【００３１】
であることが好ましい。
【００３２】
上記の構成によれば、カラーフィルタによる黒輝度上昇を実用充分なレベルに抑えることができる。図３は、カラーフィルタが無く、コントラスト比の異なる６種の液晶表示モジュールのそれぞれにＹWH／ＹBの異なる６種のカラーフィルタのそれぞれを取り付けたときのコントラスト比を示すが、これからも分かるように、カラーフィルタの無い状態でのコントラスト比が１０００以上の液晶表示装置に対し、このＹWH／ＹB≧４０００のカラーフィルタを用いれば、一般に液晶テレビ等の高コントラスト比を有する液晶表示装置に要求されるコントラスト比６００以上を容易に達成することができる。
【００３３】
より好ましくは、ＹWH／ＹB≧４４００のカラーフィルタを、カラーフィルタが無い状態でのコントラスト比が１２００以上である液晶表示装置と組み合わせることでコントラスト比７００程度のカラー液晶表示装置を得ることができる。
【００３４】
本発明のカラーフィルタは、典型的には、上記複数の色が赤、緑及び青の３色のものである。
【００３５】
本発明の他のカラーフィルタは、ｎ色の着色層が規則的に多数配列したものであって、
フィルタ単体に光が照射されたときの上記ｎ色のそれぞれの着色層の輝度をＹi（ｉ＝１〜ｎ）とすると共に、各々の偏光度が９９．９８％以上であるクロスニコル状態に配置された一対の偏光板で狭持されて同一の光が照射されたときの該ｎ色のそれぞれの着色層の輝度をＹi’（ｉ＝１〜ｎ）とし、Ｙi／Ｙi’の最大値をＹmax／Ｙmax’及び最小値をＹmin／Ｙmin’としたとき、
【００３６】
【数２１】
2005134883.tif 000008
【００３７】
であり、且つ、フィルタ単体に光が照射されて白表示したときの輝度をＹWHとし、各々の偏光度が９９．９８％以上であり且つパラレル状態に配置されたときの透過率が３６％である一対の偏光板がクロスニコル状態に配置されて狭持されて同一の光が照射されたときの輝度をＹBとしたとき、
【００３８】
【数２２】
2005134883.tif 000009
【００３９】
である。
【００４０】
このような構成のカラーフィルタによれば、ｎ色の着色層間で、各々の偏光度が９９．９８％以上であるクロスニコル状態に配置された一対の偏光板で狭持されたときの輝度に対するフィルタ単体での輝度の比に大きな差がないので、それによって黒表示時における漏れ光によりいずれかの色の着色層が目立って発色するのを防止することができる。
【００４１】
また、カラーフィルタによる黒輝度上昇を実用充分なレベルに抑えることができると共に、図３に示すように、カラーフィルタの無い状態でのコントラスト比が１０００以上の液晶表示装置に対して用いれば、一般に液晶テレビ等の高コントラスト比を有する液晶表示装置に要求されるコントラスト比６００以上を容易に達成することができる。
【００４２】
より好ましくは、ＹWH／ＹB≧４４００のカラーフィルタを、カラーフィルタが無い状態でのコントラスト比が１２００以上である液晶表示装置と組み合わせることでコントラスト比７００程度のカラー液晶表示装置を得ることができる。
【００４３】
本発明の他のカラーフィルタにおいて、上記ｎ色が赤、緑及び青の３色であるとすると、フィルタ単体に光が照射されたときの赤、緑及び青のそれぞれの着色層の透過率をＴR、ＴG及びＴBとし、各々の偏光度が９９．９８％以上であるクロスニコル状態に配置された一対の偏光板で狭持されて同一の光が照射されたときの赤、緑及び青のそれぞれの着色層の透過率をＴR’、ＴG’及びＴB’としたとき、
【００４４】
【数２３】
2005134883.tif 000010
【００４５】
であり、且つ、フィルタ単体に光が照射されて白表示したときの輝度をＹWHとし、各々の偏光度が９９．９８％以上であり且つパラレル状態に配置されたときの透過率が３６％である一対の偏光板がクロスニコル状態に配置されて狭持されて同一の光が照射されたときの輝度をＹBとしたとき、
【００４６】
【数２４】
2005134883.tif 000011
【００４７】
である。
【００４８】
上記の構成によれば、赤、緑及び青のそれぞれの着色層間で、クロスニコル状態に配置された一対の偏光板で狭持されたときの透過率に対するフィルタ単体での透過率の比に大きな差がないので、それによって黒表示時における漏れ光によりいずれかの色の着色層が目立って発色するのを防止することができる。
【００４９】
ここで、透過率ＴR、ＴG、ＴB、ＴR’、ＴG’及びＴB’のそれぞれは、測定光源の輝度をＹ0、その測定光源の上にフィルタ単体を置いて測定された赤、緑及び青のそれぞれの着色層の輝度をＹR、ＹG及びＹB、並びに、測定光源の上に各々の偏光度が９９．９８％以上であるクロスニコル状態に配置された一対の偏光板で狭持されたカラーフィルタを置いて測定された赤、緑及び青のそれぞれの着色層の輝度をＹR’、ＹG’、及びＹB’としたときに、
ＴR、＝ＹR／Ｙ0、ＴG、＝ＹG／Ｙ0、及び、ＴB、＝ＹB／Ｙ0、
並びに、ＴR’＝ＹR’／Ｙ0、ＴG’＝ＹG’／Ｙ0、及び、ＴB’＝ＹB’／Ｙ0
と定義される。
【００５０】
そして、第１基板と、該第１基板に対向するように設けられた第２基板と、該第１及び第２基板の間に設けられた液晶層と、を有する液晶セルと、
上記液晶セルを狭持するように設けられクロスニコル状態に配置された一対の偏光板と、を備えた液晶表示装置において、
上記第１基板に本発明のカラーフィルタ、他のカラーフィルタを設けることにより、本発明の液晶表示装置を構成することができる。
【００５１】
本発明の液晶表示装置は、上記液晶セルの液晶層が垂直配向型のものであるとき、或いは、表示面に対する法線方向における黒表示時の透過率に対する白表示時の透過率の比であるコントラスト比が４００以上、さらには６００以上のものであるときに漏れ光による発色が著しく、従って、上記カラーフィルタによる作用効果が顕著となる。
【００５２】
なお、カラーフィルタにおいて輝度を確保するために着色層に代わって無色透明の樹脂層（ホワイト）が設けられている場合があり、また、一般にカラーフィルタにはブラックマトリクスが設けられる。本発明のカラーフィルタ及び本発明の他のカラーフィルタは、そのような樹脂層やブラックマトリクスが設けられているものであってもよい。但し、そのような樹脂層やブラックマトリクスは、本発明のカラーフィルタ及び本発明の他のカラーフィルタにおける着色層には含まれない。
【発明の効果】
【００５３】
以上の通り、本発明によれば、黒表示時における漏れ光による目立った発色を防止することができる。
【発明を実施するための最良の形態】
【００５４】
以下、本発明の実施形態を図面に基づいて詳細に説明する。
【００５５】
図４は、本発明の実施形態に係る液晶表示装置１０を示す。
【００５６】
この液晶表示装置１０は、ＴＦＴ基板１１と、ＴＦＴ基板１１に対向するように設けられたカラーフィルタ基板（以下「ＣＦ基板」という。）１２と、それらの両基板に狭持するように設けられた液晶層２１と、からなる液晶セルＣを備え、その液晶セルＣの両側に偏光板１３，１４が設けられ、さらに、液晶セルＣのＴＦＴ基板１１側後方にバックライト１５が設けられた構成のものである。
【００５７】
ＴＦＴ基板１１は、透明基板１６上に走査線及び信号線が格子を形成するように設けられ（図示せず）、それらの各交差部にスイッチング素子としてのＴＦＴ（薄膜トランジスタ）を介してＩＴＯ（Indium Tin Oxide）やＩＺＯ（Indium Zinc Oxide）等の透明電極からなる画素電極１７が設けられた構成のものであり、透明基板１６が外側となるように配置されている。画素電極１７は、全体としてマトリクスを構成するように配設されており、各々が１つの画素を規定する。なお、ＴＦＴ基板１１の液晶層２１との接触面には配向膜が設けられていてもよい。透明基板１６としては、耐熱性、長寸法安定性の観点からガラス基板を用いるのが好適である。
【００５８】
ＣＦ基板１２は、透明基板１８上にカラーフィルタ１９が層を形成するように設けられ、さらにその上にＩＴＯやＩＺＯ等の透明電極からなる対向電極２０が層を形成するように設けられた構成のものであり、透明基板１８が外側となるように配置されている。カラーフィルタ１９は、ｎ色（例えば、赤（Ｒ）、緑（Ｇ）及び青（Ｂ）の３色）の着色層が規則的に多数配列しており、各着色層が１つの画素に対応している。なお、ＣＦ基板１２の液晶層２１との接触面には配向膜が設けられていてもよい。透明基板１８としては、耐熱性、長寸法安定性の観点からガラス基板を用いるのが好適である。カラーフィルタ１９には、輝度を確保するために着色層に代わって無色透明の樹脂層（ホワイト）が設けられていても、また、ブラックマトリクスが設けられていてもよいが、それらは着色層には含まれない。
【００５９】
液晶層２１は、例えば、ネマチック液晶からなり、垂直配向型のものである。
【００６０】
偏光板１３，１４は、例えば、ヨウ素や染料をポリビニルアルコール等の透明フィルムに混ぜたものを一方向に延伸したものからなる。液晶セルＣの両側の一対の偏光板１３，１４は、クロスニコル状態に、つまり、偏光軸が直交するように配置されている。偏光板１３，１４には、偏光度が９９％以上のものが好適に用いられる。
【００６１】
バックライト１５は、例えば、蛍光ランプ、導光板、反射板及び拡散板で構成されており、これらによって蛍光ランプからの発光を面発光とし、液晶セルＣの全面に対して均一な光を供給する。
【００６２】
この液晶表示装置１０は、画素電極１７で規定される各画素において、画素電極１７と対向電極２０との間に所定の電圧を印加して液晶層２１の液晶分子の配向状態を変調させ、それによってバックライト１５からの光の透過度を調節し、全体として画像の表示を行うものである。つまり、液晶セルＣはライトバルブとして機能する。また、カラー表示は、相互に隣接する一組のｎ色（例えば、赤（Ｒ）、緑（Ｇ）及び青（Ｂ）の３色）の発光の組み合わせによって行う。さらに、液晶セルＣの液晶層２１が垂直配向型のものであることから、表示面に対する法線方向における黒表示時の透過率に対する白表示時の透過率の比であるコントラスト比が４００以上（条件によっては６００以上乃至７００以上）の高コントラスト表示を行う。
【００６３】
次に、上記液晶表示装置１０のカラーフィルタ１９について詳細に説明する。
【００６４】
図５は、赤（Ｒ）、緑（Ｇ）及び青（Ｂ）の３色の着色層が規則的に多数配列した例のカラーフィルタ１９を示す。
【００６５】
このカラーフィルタ１９は、詳細には、ガラス基板１８上に各画素に対応した開口が形成されたブラックマトリクス２２が設けられ、また、そのブラックマトリクス２２の各開口に赤（Ｒ）、緑（Ｇ）又は青（Ｂ）の着色層２３Ｒ，２３Ｇ，２３Ｂが設けられた構成のものである。赤（Ｒ）、緑（Ｇ）及び青（Ｂ）の着色層２３Ｒ，２３Ｇ，２３Ｂの配列は、例えば、ストライプ配列であっても、また、モザイク配列等、特に限定されない。
【００６６】
各着色層２３Ｒ，２３Ｇ，２３Ｂは、例えばノボラック樹脂やフェノール樹脂にフタロシアニン系顔料を分散させたもので形成されている。
【００６７】
第１の構成では、このカラーフィルタ１９は、図６（ａ）に示すように、フィルタ単体に光が照射されて白表示したときのＣＩＥ１９３１色度図における色度を（ｘWH，ｙWH）とし、図６（ｂ）に示すように、各々の偏光度が９９．９８％以上であるクロスニコル状態に配置された一対の偏光板で狭持されて同一の光が照射されたときのＣＩＥ１９３１色度図における色度を（ｘB，ｙB）としたとき、
【００６８】
【数２５】
2005134883.tif 000012
【００６９】
である。つまり、図７にＣＩＥ１９３１色度図で示すように、（ｘB，ｙB）が点線で囲んだ範囲、すなわち、（ｘWH，ｙWH）周辺乃至（ｘWH，ｙWH）から左下方向にあることとなる。ＣＩＥ１９３１色度図において（ｘB，ｙB）が上記範囲にあるということは、各々の偏光度が９９．９８％以上であるクロスニコル状態の一対の偏光板で狭持されたときの色度が白に近い色度乃至青味の暗い色度であるということである。従って、液晶表示装置１０において、黒表示時には漏れ光による発色がその色となるので、黒表示時における漏れ光による目立った発色を防止することができる。
【００７０】
また、カラーフィルタ１９は、
【００７１】
【数２６】
2005134883.tif 000013
【００７２】
であれば、黒表示時にほとんどニュートラルな黒が視認される。そして、より好ましくは、
【００７３】
【数２７】
2005134883.tif 000014
【００７４】
であるのがよい。
【００７５】
さらに、カラーフィルタ１９は、
【００７６】
【数２８】
2005134883.tif 000015
【００７７】
であるのがより好ましく、この場合には、白表示から黒表示までの色度差が小さく、しかも、その変化の軌跡がＣＩＥ１９３１色度図における黒体輻射軌跡により近いために黒表示が完全な無彩色として認識される。
【００７８】
また、カラーフィルタ１９は、フィルタ単体に光が照射されて白表示したときの輝度をＹWHとし、各々の偏光度が９９．９８％以上であり且つパラレル状態に配置されたときの透過率が３６％である一対の偏光板がクロスニコル状態に配置されて狭持されて同一の光が照射されたときの輝度をＹBとしたとき、
【００７９】
【数２９】
2005134883.tif 000016
【００８０】
であることが好ましい。この場合には、フィルタ単体でのコントラスト比が極めて高いので、カラーフィルタ１９による黒輝度上昇を実用充分なレベルに抑えることができると共に、液晶表示装置１０のカラーフィルタ１９の無い状態でのコントラスト比が１０００以上であれば、一般に液晶テレビ等の高コントラスト比を有する液晶表示装置に要求されるコントラスト比６００以上を容易に達成することができる。
【００８１】
また、
【００８２】
【数３０】
2005134883.tif 000017
【００８３】
であることがより好ましく、この場合、液晶表示装置１０のカラーフィルタ１９が無い状態でのコントラスト比が１２００以上であれば、コントラスト比７００程度のカラー液晶表示装置１０を得ることができる。
【００８４】
第２の構成では、このカラーフィルタ１９は、フィルタ単体に光が照射されたときの各着色層２３Ｒ，２３Ｇ，２３Ｂの輝度をＹR，ＹG，ＹBとすると共に、各々の偏光度が９９．９８％以上であるクロスニコル状態に配置された一対の偏光板で狭持されて同一の光が照射されたときの各着色層２３Ｒ，２３Ｇ，２３Ｂの輝度をＹR’，ＹG’，ＹB’とし、それらのうちの最大値をＹmax／Ｙmax’及び最小値をＹmin／Ｙmin’としたとき、
【００８５】
【数３１】
2005134883.tif 000018
【００８６】
であり、且つ、フィルタ単体に光が照射されて白表示したときの輝度をＹWHとし、各々の偏光度が９９．９８％以上であり且つパラレル状態に配置されたときの透過率が３６％である一対の偏光板がクロスニコル状態に配置されて狭持されて同一の光が照射されたときの輝度をＹBとしたとき、
【００８７】
【数３２】
2005134883.tif 000019
【００８８】
である。
【００８９】
そして、これは、フィルタ単体に光が照射されたときの赤、緑及び青のそれぞれの着色層の透過率をＴR、ＴG及びＴBとし、各々の偏光度が９９．９８％以上であるクロスニコル状態に配置された一対の偏光板で狭持されて同一の光が照射されたときの赤、緑及び青のそれぞれの着色層の透過率をＴR’、ＴG’及びＴB’としたとき、
【００９０】
【数３３】
2005134883.tif 000020
【００９１】
であり、且つ、フィルタ単体に光が照射されて白表示したときの輝度をＹWHとし、各々の偏光度が９９．９８％以上であり且つパラレル状態に配置されたときの透過率が３６％である一対の偏光板がクロスニコル状態に配置されて狭持されて同一の光が照射されたときの輝度をＹBとしたとき、
【００９２】
【数３４】
2005134883.tif 000021
【００９３】
であるのと同じである。
【００９４】
ここで、透過率ＴR、ＴG、ＴB、ＴR’、ＴG’及びＴB’のそれぞれは、測定光源の輝度をＹ0、その測定光源の上にフィルタ単体を置いて測定された赤、緑及び青のそれぞれの着色層の輝度をＹR、ＹG及びＹB、並びに、測定光源の上に各々の偏光度が９９．９８％以上であるクロスニコル状態に配置された一対の偏光板で狭持されたカラーフィルタを置いて測定された赤、緑及び青のそれぞれの着色層の輝度をＹR’、ＹG’、及びＹB’としたときに、
ＴR、＝ＹR／Ｙ0、ＴG、＝ＹG／Ｙ0、及び、ＴB、＝ＹB／Ｙ0、
並びに、ＴR’＝ＹR’／Ｙ0、ＴG’＝ＹG’／Ｙ0、及び、ＴB’＝ＹB’／Ｙ0
と定義される。
【００９５】
この場合には、赤（Ｒ）、緑（Ｇ）及び青（Ｂ）のそれぞれの着色層２３Ｒ，２３Ｇ，２３Ｂ間で、各々の偏光度が９９．９８％以上であるクロスニコル状態に配置された一対の偏光板で狭持されたときの輝度に対するフィルタ単体での輝度の比に大きな差がないので、それによって黒表示時における漏れ光によりいずれかの色の着色層２３Ｒ，２３Ｇ，２３Ｂが目立って発色するのを防止することができる。
【００９６】
また、フィルタ単体でのコントラスト比が極めて高いので、カラーフィルタ１９による黒輝度上昇を実用充分なレベルに抑えることができると共に、液晶表示装置１０のカラーフィルタ１９の無い状態でのコントラスト比が１０００以上であれば、一般に液晶テレビ等の高コントラスト比を有する液晶表示装置に要求されるコントラスト比６００以上を容易に達成することができる。
【００９７】
また、
【００９８】
【数３５】
2005134883.tif 000022
【００９９】
であることがより好ましく、この場合、液晶表示装置１０のカラーフィルタ１９が無い状態でのコントラスト比が１２００以上であれば、コントラスト比７００程度のカラー液晶表示装置１０を得ることができる。
【０１００】
以上のような第１及び第２の各構成のカラーフィルタ１９は、スピンコート法、スリットコート法、或いは、ドライフィルム法等の公知の方法により製造することができ、また、上記のような特性は、赤（Ｒ）、緑（Ｇ）及び青（Ｂ）のそれぞれの着色層２３Ｒ，２３Ｇ，２３Ｂを構成する着色材の選定及び組み合わせにより実現することができる。
【０１０１】
そして、黒表示時における漏れ光による発色の問題は、高コントラスト表示の場合に特に顕著となるが、上記液晶表示装置１０では、液晶セルＣの液晶層２１が垂直配向型のものであり、コントラスト比４００以上（条件によっては６００以上乃至７００以上）の高コントラスト表示を行うので、上記のようなカラーフィルタ１９を用いることにより黒表示時に目立った発色を防止するという作用効果が特に顕著に営まれることとなる。
【０１０２】
なお、上記実施形態では、第１及び２構成のカラーフィルタ１９ともに、赤（Ｒ）、緑（Ｇ）及び青（Ｂ）の３色構成のものとしたが、特にこれに限定されるものではなく、特開２００２−２８６９２７号公報に開示されているように、自然な中間色を発色させるために赤（Ｒ）、緑（Ｇ）、青（Ｂ）、黄（Ｙ）、シアン（Ｃ）及びマゼンタ（Ｍ）の６色構成としたものであってもよい。つまり、カラーフィルタ１９は、より一般化するとｎ色構成のものであってもよい。
【０１０３】
このとき、第１の構成では、３色構成の場合と同様に、フィルタ単体に光が照射されて白表示したときのＣＩＥ１９３１色度図における色度を（ｘWH，ｙWH）とし、各々の偏光度が９９．９８％以上であるクロスニコル状態に配置された一対の偏光板で狭持されて同一の光が照射されたときのＣＩＥ１９３１色度図における色度を（ｘB，ｙB）としたとき、
【０１０４】
【数３６】
2005134883.tif 000023
【０１０５】
である。
【０１０６】
第２の構成では、フィルタ単体に光が照射されたときの上記ｎ色のそれぞれの着色層の輝度をＹi（ｉ＝１〜ｎ）とすると共に、各々の偏光度が９９．９８％以上であるクロスニコル状態に配置された一対の偏光板で狭持されて同一の光が照射されたときの該ｎ色のそれぞれの着色層の輝度をＹi’（ｉ＝１〜ｎ）とし、Ｙi／Ｙi’の最大値をＹmax／Ｙmax’及び最小値をＹmin／Ｙmin’としたとき、
【０１０７】
【数３７】
2005134883.tif 000024
【０１０８】
であり、且つ、フィルタ単体に光が照射されて白表示したときの輝度をＹWHとし、各々の偏光度が９９．９８％以上であり且つパラレル状態に配置されたときの透過率が３６％である一対の偏光板がクロスニコル状態に配置されて狭持されて同一の光が照射されたときの輝度をＹBとしたとき、
【０１０９】
【数３８】
2005134883.tif 000025
【０１１０】
である。
【０１１１】
また、上記実施形態では、アクティブマトリクス方式の液晶表示装置１０としたが、特にこれに限定されるものではなく、カラーフィルタが設けられる液晶表示装置であれば、単純マトリクス方式のものであってもよい。
【０１１２】
また、上記実施形態では、垂直配向型の液晶層２１としたが、特にこれに限定されるものではなく、水平配向型のものであってもよい。
【０１１３】
［試験評価１］
（着色レジストの評価）
垂直配向型の液晶層を備えた液晶表示装置に用いるカラーフィルタは、その特性として高色純度で且つ高透過率であることが求められる。まず、これらを満足する着色顔料レジストとして、赤（Ｒ）、緑（Ｇ）及び青（Ｂ）の３色のそれぞれについて表２に示すものを選定した。
【０１１４】
【表２】
2005134883.tif 000026
【０１１５】
選定した３種の赤（Ｒ）レジストはそれぞれＲ１、Ｒ２及びＲ３であり、３種の緑（Ｇ）レジストはそれぞれＧ１、Ｇ２及びＧ３であり、３種の青（Ｂ）レジストはそれぞれＢ１、Ｂ２及びＢ３であった。
【０１１６】
Ｒ１、Ｇ１及びＢ１の組み合わせは市販されており、黒表示時のマゼンタの色付きが顕著なものである。
【０１１７】
Ｒ２とＲ３とは、Ｒ１よりも消偏性改善及び色純度アップを図るために顔料種を変更したものである。特に、Ｒ３は、微細化顔料が用いられて消偏性改善が図られている。
【０１１８】
一般に、緑（Ｇ）の顔料は  フタロシアニングリーンの顔料とイエローの顔料とを組み合わせたものが用いられるが、フタロシアニングリーン及びイエローのそれぞれの顔料の粒径とそれらの組合せ量とにより、消偏性及び色度がそれぞれ調整される。
【０１１９】
例えば、Ｇ２は、Ｇ１をベースとしてイエローの顔料比を下げてＣＩＥ１９３１色度図におけるｘを下げつつ色濃度を上げたものである。イエローは消偏性が良好であるため、結果として、Ｇ２では、消偏性が悪く、Ｇ１に比べてコントラスト比Ｙ／Ｙ’が低い。
【０１２０】
Ｇ３は、赤（Ｒ）や青（Ｂ）と同等のコントラスト比となるように、グリーン及びイエローと共に、意図的に消偏性を大きくする粒径の大きい顔料のレジストである。
【０１２１】
一般に、青（Ｂ）の顔料は  フタロシアニンブルーの顔料とバイオレットの顔料を組み合わせたものが用いられるが、バイオレットは消偏性が悪いので、その含有量が多くなるに従ってコントラスト比が低くなる。Ｂ１、Ｂ２、Ｂ３は、このの順にバイオレットの顔料の含有量が多い。
【０１２２】
Ｂ２は、Ｂ１よりもバイオレットの顔料の含有量が多いために消偏性が劣る。
【０１２３】
Ｂ３は、消偏性が悪化するのを防ぐため、フタロシアニンブルーの顔料及びバイオレットの顔料のいずれにも微細化顔料を使用し、それによってＢ２同等のコントラスト比を維持している。
【０１２４】
なお、上記のレジストは全てスピンコート用のネガ型顔料分散レジストである。
【０１２５】
（試験評価用単色基板の作製）
Ｒ１〜Ｒ３、Ｇ１〜Ｇ３及びＢ１〜Ｂ３の９種のネガ型顔料分散レジストのそれぞれについて以下の様にして試験評価用単色基板を作製した。
【０１２６】
まず、透明なガラス基板上に評価用レジストをスピンコーターで塗布した後、減圧乾燥を行った。その後、レジスト全面表面全体に紫外線照射を行って硬化させてから現像を行った。そして、焼成を行ってレジストをさらに完全に硬化させたものを試験評価用単色基板とした。
【０１２７】
このとき、スピンコートの条件は、焼成後の色純度が所望の値になるように調整を行った。また、ガラス基板として、ガラス自体の着色の影響と表面状態差による散乱の影響を排除するため、一般に液晶表示装置に用いるガラス基板と同等のものを用いた。減圧乾燥、紫外線照射及び現像のそれぞれの条件は、液晶表示装置のカラーフィルタを作製するときと同一とした。それらの条件がカラーフィルタ作製時のものと異なった場合、結果として評価用着色層の表面の凹凸がカラーフィルタのものと異なり、正確な測定値が得られない場合があるからである。なお、試験評価用単色基板の作成条件を表３に示す。
【０１２８】
【表３】
2005134883.tif 000027
【０１２９】
（試験評価方法）
図８〜１０に基づいて試験評価方法を説明する。
【０１３０】
各試験評価用単色基板について、図８に示すように、試験評価用単色基板３２をバックライトユニット３１上に並行になるように置き、その上にさらに周辺の漏れ光を防止する為の遮光物３３を置き、それらの上方に分光放射計３４（ＴＯＰＣＯＮ社製  ＳＲ−３）を固定し、バックライトユニット３１を発光させて分光放射計３４で輝度ＹWHと色度（ｘWH，ｙWH）とを測定した。バックライトユニット３１は、液晶表示装置に用いる光源に近いものを使用した。具体的には、３波長管の蛍光灯で輝度Ｙが５０８７で、ＣＩＥ１９３１色度図における色度が（ｘ，ｙ）＝（0.300，0.270）のものであった。なお、色度を測定したのは、所望の色濃度を満足していることの確認のためである。
【０１３１】
次に、各試験評価用単色基板について、図９に示すように、試験評価用単色基板３２に裏面用偏光板３５及び表面用偏光板３６をクロスニコル状態に貼り付け、それをバックライトユニット３１上に並行になるように置き、その上にさらに周辺の漏れ光を防止する為の遮光物３３を置き、それらの上方に分光光度計３４（ＴＯＰＣＯＮ社製  ＳＲ−３）を固定し、バックライトユニット３１を発光させて分光放射計３４で輝度Ｙ’を測定した。
【０１３２】
このとき、図１０に示すように、試験評価用単色基板３２に対し、クロスニコル状態となるように、裏側用偏光板３５をレジスト着色面側に、表側用偏光板３６をガラス面側にそれぞれ直接貼り付けた。裏側用偏光板３５及び表側用偏光板３６として、表４に示す特性を有する偏光度９９．９８％の垂直配向液晶用の偏光板（日東電工社製）を用いた。
【０１３３】
【表４】
2005134883.tif 000028
【０１３４】
（試験評価結果）
Ｒ１〜Ｒ３、Ｇ１〜Ｇ３及びＢ１〜Ｂ３の９種のネガ型顔料分散レジストのそれぞれの輝度ＹWH、色度（ｘWH，ｙWH）及び輝度Ｙ’を表２に示す。
【０１３５】
Ｒ１〜Ｒ３より赤、Ｇ１〜Ｇ３より緑、及び、Ｂ１〜Ｂ３から青をそれぞれ選定して組み合わせて構成した例１（Ｒ１，Ｇ１，Ｂ１）、例２（Ｒ２，Ｇ２，Ｂ２）、例３（Ｒ２，Ｇ３，Ｂ３）及び例４（Ｒ３，Ｇ３，Ｂ３）の４種のカラーフィルタについて、
【０１３６】
【数３９】
2005134883.tif 000029
【０１３７】
の条件を満たすか否かについての判定を行った。その判定結果を表５に示す。
【０１３８】
【表５】
2005134883.tif 000030
【０１３９】
表５より、例２、３及び４のいずれも上記条件を満たしているのが分かるが、各色のＹ／Ｙ’の差が小さいことから例２よりも例３及び４が優れるといえる。
【０１４０】
次に、例１〜４のカラーフィルタについて、フィルタ単体に光を照射して白表示させたときの輝度ＹWH及びＣＩＥ１９３１色度図における色度（ｘWH，ｙWH）、並びに、各々の偏光度が９９．９８％であるクロスニコル状態に配置された一対の偏光板で狭持されて同一の光が照射されたときの輝度ＹB及びＣＩＥ１９３１色度図における色度（ｘB，ｙB）を測定した。そして、それらについて、
【０１４１】
【数４０】
2005134883.tif 000031
【０１４２】
の条件を満たすか否かについての判定を行った。その判定結果を図１１に示すと共にそれを上記の測定結果と併せて表６に示す。
【０１４３】
【表６】
2005134883.tif 000032
【０１４４】
例１のカラーフィルタでは、ｙB−ｙWH＝−０．０６３であって、絶対値で０．０５を越えており、実際の目視で確認した結果、黒表示時にはマゼンタの強い色付きが観察された。
【０１４５】
これに対して、例２のカラーフィルタでは、ｙB−ｙWH＝−０．０４４と小さくなっており、実際の目視で確認した結果、黒表示時の色付きが緩和されて実表示上は問題ないレベルであった。
【０１４６】
例３のカラーフィルタでは、ｘB−ｘWH＝０．００６、ｙB−ｙWH＝−０．０１１と充分に小さく、実際の目視で確認した結果、黒表示時の色付きがほとんど感じられず、極めて無彩色に近い黒色であった。
【０１４７】
例４のカラーフィルタでは、ｘB−ｘWH＝−０．０１９、ｙB−ｙWH＝−０．０１８と例３よりもｘB−ｘWHの絶対値が大きいものの、
【０１４８】
【数４１】
2005134883.tif 000033
【０１４９】
の条件を満たしており、実際の目視で確認した結果、黒表示時の色付きがほとんど感じられず、極めて無彩色に近い黒色であった。
【０１５０】
例１、２、３及び４の各カラーフィルタを用いて液晶表示装置を作製した。液晶層には垂直配向型のものを用いた。バックライトには、上記の試験評価に用いたものとは異なり、ＣＩＥ１９３１色度図における色度が（0.29，0.30）付近に調整されたものを用いた。一対の偏光板には、偏光度が９９．９８％のものを用いた。いずれの液晶表示装置も、コントラスト比が６００以上で、且つ、白表示時の輝度が４５０ｃｄ以上であった。
【０１５１】
各液晶表示装置の白表示色度及び黒表示色度を図１２に示すと共に、それらとｘB−ｘWH、ｙB−ｙWH 及び目視判定結果を表７に示す。
【０１５２】
【表７】
2005134883.tif 000034
【０１５３】
例３及び４のそれぞれのカラーフィルタを用いた液晶表示装置では、いずれも黒表示時に無彩色に近い黒表示を行うことができた。特に、例４のカラーフィルタを用いた液晶表示装置では、黒表示時に完全に無彩色で且つ白表示色度に近い黒表示を行うことができた。
【０１５４】
比較対照例として、例１〜４よりもＹWH／ＹBの低い例５のカラーフィルタを用いた液晶表示装置を作製した。そして、液晶表示装置としてのコントラスト比を測定した。その結果を図１３及び表８に示す。
【０１５５】
【表８】
2005134883.tif 000035
【０１５６】
ＹWH／ＹB＞４０００である例１〜４のそれぞれのカラーフィルタを用いた液晶表示装置では、コントラスト比がいずれも６００以上となり、黒の締まった表示品位の良好な液晶表示装置が得られた。特に、ＹWH／ＹB＞４４００である例１、２及び４のものでは、６５０以上の高コントラスト比を得ることができた。これに対し、ＹWH／ＹB＝３５２０と低い例５のものでは、コントラスト比が６００に満たずに黒の締まりが悪く、例１〜４のものよりも表示品位が劣っていた。
【０１５７】
［試験評価２］
次に、試験評価２について説明する。
【０１５８】
（試験評価サンプル）
赤（Ｒ）、緑（Ｇ）及び青（Ｂ）のそれぞれの着色層を構成する着色材の選定及び組み合わせを変えた４種類のカラーフィルタを作成し、それらを例６〜９とした。
【０１５９】
（試験評価方法）
＜色度＞
例６〜９のそれぞれについて、フィルタ単体に光を照射して白表示させたときのＣＩＥ１９３１色度図における色度（ｘWH，ｙWH）及びクロスニコル状態に配置された偏光度９９．９％以上の一対の偏光板で狭持して同一の光を照射したときのＣＩＥ１９３１色度図における色度（ｘB，ｙB）を求めた。
【０１６０】
＜透過率比＞
例６〜９のそれぞれについて、フィルタ単体に光を照射したときの赤（Ｒ）、緑（Ｇ）及び青（Ｂ）のそれぞれの着色層の透過率（ＴR、ＴG及びＴB）及びクロスニコル状態に配置された偏光度９９．９％以上の偏光板で狭持して同一の光を照射したときの赤（Ｒ）、緑（Ｇ）及び青（Ｂ）のそれぞれの着色層の透過率（ＴR’、ＴG’及びＴB’）を計測し、ＴR／ＴR’、ＴG／ＴG’及びＴB／ＴB’をそれぞれ算出した。
【０１６１】
（試験評価結果）
図１４（ａ）〜（ｄ）は、例６〜９のそれぞれの（ｘWH，ｙWH）及び（ｘB，ｙB）を示すＣＩＥ１９３１色度図である。なお、図中、破線で囲まれた範囲は、下記式の条件を満たす範囲である。また、○が（ｘWH，ｙWH）であり、×が（ｘB，ｙB）である。
【０１６２】
【数４２】
2005134883.tif 000036
【０１６３】
同図によれば、例６は上記式の条件を満たしていないが、例７〜９は上記式の条件を満たしている。個別には、例６は、（ｘB，ｙB）が（ｘWH，ｙWH）の右下にあり、従って、これを液晶表示装置に用いて黒表示させたときには、やや赤系の発色が観察されることとなる。例７は、（ｘB，ｙB）が（ｘWH，ｙWH）の真下乃至左下にあり、従って、これを液晶表示装置に用いて黒表示させたときには、青系の発色が観察されることとなる。例８及び９は、（ｘB，ｙB）が（ｘWH，ｙWH）の周辺にあり、従って、これを液晶表示装置に用いて黒表示させたときには、白表示と色度変化のない発色が観察されることとなる。
【０１６４】
これらの結果より、黒表示時における漏れ光による目立った発色を防止するのには、例７〜９のカラーフィルタを用いることが好ましい。
【０１６５】
表９は、例６〜９のＴR／ＴR’、ＴG／ＴG’及びＴB／ＴB’を示す。また、表１０は、ＴR／ＴR’＝１と規格化したときのＴR／ＴR’、ＴG／ＴG’及びＴB／ＴB’を示す。
【０１６６】
【表９】
2005134883.tif 000037
【０１６７】
【表１０】
2005134883.tif 000038
【０１６８】
表９及び１０によれば、例６は、ＴG／ＴG’及びＴB／ＴB’がＴR／ＴR’よりも２倍以上大きく、例７は、ＴG／ＴG’がＴR／ＴR’よりも２倍以上大きい。一方、例８及び９は、ＴG／ＴG’及びＴB／ＴB’のいずれもがＴR／ＴR’の２倍よりも小さく、下記式の条件を満たしている。また、図１４（ｃ）及び（ｄ）によれば、例８及び９は、（ｘB，ｙB）が（ｘWH，ｙWH）の周辺にある。
【０１６９】
【数４３】
2005134883.tif 000039
【０１７０】
これらの結果より、白・黒は本来無彩色で色度の変化がなく、輝度変化だけであり、絵作りにおいては白・黒の色度変化がないことが好ましいので、（ｘB，ｙB）が（ｘWH，ｙWH）に近いことが望ましいという観点からは、例８及び９のカラーフィルタを用いることが好ましい。
【産業上の利用可能性】
【０１７１】
以上説明したように、本発明は、液晶表示装置に設けられるカラーフィルタについて有用である。
【図面の簡単な説明】
【０１７２】
【図１】黒体輻射軌跡を示したＣＩＥ１９３１色度図である。
【図２】図１の部分拡大図である。
【図３】カラーフィルタのＹWH／ＹBと液晶表示モジュールのコントラスト比との関係を示すグラフである。
【図４】本発明の実施形態に係る液晶表示装置の断面図である。
【図５】本発明の実施形態に係るカラーフィルタの断面図である。
【図６】カラーフィルタの色度及び透過率比を求める方法を説明するための説明図である。
【図７】本発明の実施形態に係るカラーフィルタの色度を示すＣＩＥ１９３１色度図である。
【図８】カラーフィルタのフィルタ単体の輝度及び色度の試験評価方法を示す説明図である。
【図９】偏光板を取り付けたカラーフィルタの輝度及び色度の試験評価方法を示す説明図である。
【図１０】カラーフィルタ及び一対の偏光板の配置を示す説明図である。
【図１１】例１〜４のカラーフィルタの白表示時及び黒表示時のそれぞれの色度を示すＣＩＥ１９３１色度図である。
【図１２】例１〜４のカラーフィルタを用いた液晶表示装置の白表示時及び黒表示時のそれぞれの色度を示すＣＩＥ１９３１色度図である。
【図１３】カラーフィルタのＹWH／ＹBと液晶表示装置のコントラスト比との関係を示すグラフである。
【図１４】例６〜９の（ｘWH，ｙWH）及び（ｘB，ｙB）を示すＣＩＥ１９３１色度図である。
【符号の説明】
【０１７３】
１０  液晶表示装置
１１  ＴＦＴ基板
１２  カラーフィルタ基板（ＣＦ基板）
１３，１４  偏光板
１５  バックライト
１６，１８  ガラス基板
１７  画素電極
１９  カラーフィルタ
２０  対向電極
２１  液晶層
２２  ブラックマトリクス
２３Ｒ，２３Ｇ，２３Ｂ  着色層
３１  バックライトユニット
３２  試験評価用単色基板
３３  遮光物
３４  分光放射計
３５  裏面用偏光板
３６  表面用偏光板
Ｃ  液晶セル
【図１】
2005134883.tif 000056
【図２】
2005134883.tif 000057
【図３】
2005134883.tif 000058
【図４】
2005134883.tif 000059
【図５】
2005134883.tif 000060
【図６】
2005134883.tif 000061
【図７】
2005134883.tif 000062
【図８】
2005134883.tif 000063
【図９】
2005134883.tif 000064
【図１０】
2005134883.tif 000065
【図１１】
2005134883.tif 000066
【図１２】
2005134883.tif 000067
【図１３】
2005134883.tif 000068
【図１４】
2005134883.tif 000069